(57)【要約】【課題】複数の利用者によって利用される携帯端末装置を各利用者に適した設定で容易に動作させる。【解決手段】利用者管理部１２０が、携帯端末装置１００を利用する利用者を認証し、認証に成功した場合、プロファイル制御部１３０が通信部１１０を介して記憶装置２００から当該利用者のプロファイルを取得し、取得したプロファイルに基づいて携帯端末装置１００を動作させ、利用者管理部１２０が、利用者のうちプロファイルを編集する権利を持つ特権利用者の認証に成功した場合、記憶装置２００から取得したプロファイルを編集可能にする。【選択図】図１
2011055082.tif 000002
【特許請求の範囲】
【請求項１】
情報を記憶する記憶装置と接続された携帯端末装置であって、
前記記憶装置と通信するためのインタフェース機能を持つ通信部と、
当該携帯端末装置を利用する利用者を認証する利用者管理部と、
前記利用者管理部が認証に成功した場合、前記通信部を介して前記記憶装置から該利用者のプロファイルを取得し、該取得したプロファイルに基づいて当該携帯端末装置を動作させるプロファイル制御部とを有し、
前記利用者管理部は、前記利用者のうち前記プロファイルを編集する権利を持つ特権利用者の認証に成功した場合、前記取得したプロファイルを編集可能にする携帯端末装置。
【請求項２】
請求項１に記載の携帯端末装置において、
前記利用者を識別するための利用者識別情報と前記利用者を認証するための認証情報とをあらかじめ対応付けて記憶するメモリと、
外部から前記利用者識別情報と前記認証情報との入力を受け付ける入力部とを有し、
前記利用者管理部は、前記入力部が受け付けた利用者識別情報と認証情報とのそれぞれが、前記メモリにて対応付けられて記憶されている利用者識別情報と認証情報とのそれぞれと一致した場合、前記認証に成功したと判断することを特徴とする携帯端末装置。
【請求項３】
請求項２に記載の携帯端末装置において、
前記プロファイル制御部は、前記利用者識別情報を用いて前記プロファイルを前記通信部を介して前記記憶装置から取得することを特徴とする携帯端末装置。
【請求項４】
請求項１に記載の携帯端末装置において、
前記プロファイルを編集するための編集画面を表示する表示部を有することを特徴とする携帯端末装置。
【請求項５】
請求項１に記載の携帯端末装置において、
前記プロファイル制御部は、前記特権利用者によって編集されたプロファイルを前記通信部を介して前記記憶装置へ送信することを特徴とする携帯端末装置。
【請求項６】
情報を記憶する記憶装置と接続された携帯端末装置の動作を設定する携帯端末装置設定方法であって、
当該携帯端末装置を利用する利用者を認証する処理と、
前記利用者の認証に成功した場合、前記記憶装置から該利用者のプロファイルを取得する処理と、
前記取得したプロファイルに基づいて、当該携帯端末装置を動作させる処理と、
前記利用者のうち前記プロファイルを編集する権利を持つ特権利用者の認証に成功した場合、前記取得したプロファイルを編集可能にする処理とを有する携帯端末装置設定方法。
【請求項７】
請求項６に記載の携帯端末装置設定方法において、
外部から前記利用者を識別するための利用者識別情報と前記利用者を認証するための認証情報との入力を受け付ける処理と、
前記受け付けた利用者識別情報と認証情報とのそれぞれが、あらかじめ対応付けられて記憶されている利用者識別情報と認証情報とのそれぞれと一致した場合、前記認証に成功したと判断する処理とを有することを特徴とする携帯端末装置設定方法。
【請求項８】
請求項７に記載の携帯端末装置設定方法において、
前記利用者識別情報を用いて前記プロファイルを前記記憶装置から取得する処理を有することを特徴とする携帯端末装置設定方法。
【請求項９】
請求項６に記載の携帯端末装置設定方法において、
前記プロファイルを編集するための編集画面を表示する処理を有することを特徴とする携帯端末装置設定方法。
【請求項１０】
請求項６に記載の携帯端末装置設定方法において、
前記特権利用者によって編集されたプロファイルを前記記憶装置へ送信する処理を有することを特徴とする携帯端末装置設定方法。
【請求項１１】
情報を記憶する記憶装置と接続された携帯端末装置に、
当該携帯端末装置を利用する利用者を認証する手順と、
前記利用者の認証に成功した場合、前記記憶装置から該利用者のプロファイルを取得する手順と、
前記取得したプロファイルに基づいて、当該携帯端末装置を動作させる手順と、
前記利用者のうち前記プロファイルを編集する権利を持つ特権利用者の認証に成功した場合、前記取得したプロファイルを編集可能にする手順とを実行させるためのプログラム。
【請求項１２】
請求項１１に記載のプログラムにおいて、
外部から前記利用者を識別するための利用者識別情報と前記利用者を認証するための認証情報との入力を受け付ける手順と、
前記受け付けた利用者識別情報と認証情報とのそれぞれが、あらかじめ対応付けられて記憶されている利用者識別情報と認証情報とのそれぞれと一致した場合、前記認証に成功したと判断する手順とを実行させるためのプログラム。
【請求項１３】
請求項１２に記載のプログラムにおいて、
前記利用者識別情報を用いて前記プロファイルを前記記憶装置から取得する手順を実行させるためのプログラム。
【請求項１４】
請求項１１に記載のプログラムにおいて、
前記プロファイルを編集するための編集画面を表示する手順を実行させるためのプログラム。
【請求項１５】
請求項１１に記載のプログラムにおいて、
前記特権利用者によって編集されたプロファイルを前記記憶装置へ送信する手順を実行させるためのプログラム。
【発明の詳細な説明】
【技術分野】
【０００１】
本発明は、携帯端末装置、携帯端末装置設定方法およびプログラムに関する。
【背景技術】
【０００２】
複数の利用者（ユーザ）で複数台の携帯電話等の携帯端末装置を共有して使用する場合、以下に示すような問題がある。
【０００３】
携帯電話をはじめとする携帯端末装置は、その利用者が１人であることを前提に設計されている。この携帯端末装置は、例えば職場など、共同で保持している１台の携帯端末装置を複数の利用者によって利用される場合、複数の利用者によってアドレス帳やＷｅｂブラウザのブックマークが登録されることにより、多数のデータが登録された状態となる。そのため、自分が過去に登録したデータを多数のデータの中から検索して見つけ出すのが容易ではない。さらに、他の利用者に自分が登録したデータが公開されてしまうため、セキュリティにも問題がある。
【０００４】
この問題を解決するために、携帯端末装置内に複数の設定データを保持しておき、利用者ごとに認証を実施した上で、設定データを切り替える技術が考えられている（例えば、特許文献１参照。）。
【０００５】
しかしながら、上述した技術においては、携帯端末装置内に設定データを保持しているため、複数台の携帯端末装置を複数の利用者で共有する場合、全ての携帯端末装置において互いに同じデータを登録しなければならず、大変手間がかかってしまう。また、設定データを更新する場合にも、全ての携帯端末装置において互いに同じ内容の更新を行わなければならず、大変手間がかかってしまう。
【０００６】
さらに、携帯端末装置内部のメモリに複数の設定データを保持するため、登録する全利用者の設定データ分の容量をもったメモリの搭載が必要となる。それにより、携帯端末装置の小型化や部材の低コスト化の阻害要因となってしまう。
【０００７】
そこで、携帯端末装置が通信可能な交換機に、利用者それぞれの認証データや管理情報を格納しておき、携帯端末装置からの認証要求に対して認証が成功した場合に、管理情報を交換機から携帯端末装置へ送信し、携帯端末装置にて当該管理情報を用いた設定を行う技術が考えられている（例えば、特許文献２参照。）。
【先行技術文献】
【特許文献】
【０００８】
【特許文献１】特開２００５−２５２６１０号公報
【特許文献２】特開２００４−３６３７９２号公報
【発明の概要】
【発明が解決しようとする課題】
【０００９】
特許文献２に記載されたような技術においては、利用者によって管理情報を編集することができる。例えば、ＰＣ（Ｐｅｒｓｏｎａｌ  Ｃｏｍｐｕｔｅｒ）と同じように、Ｗｅｂサイトを閲覧できるアプリケーションなど大量の通信が発生するアプリケーションを、これを知らない利用者が利用可能に設定すれば、当該アプリケーションを利用することができる。その場合、多量に課金されてしまうという問題点がある。また、利用者である子供が有害サイトへのアクセスを可能に設定してしまうと、子供に有害サイトを閲覧させたくなくても閲覧できてしまうという問題点がある。また、現在の携帯端末装置は、その機能及びメニュー構成が複雑化しており、携帯端末装置を使い慣れていない利用者にとっては操作が困難な場合が多く、誤った番号に発信してしまったり、意図しないアプリケーションを起動してしまう等、誤操作するおそれがある。
【００１０】
さらに、特許文献２に記載されたような技術においては、利用者の認証を交換機が行うため、携帯端末装置が通信可能でない状態である場合（例えば、無線通信の圏外にいる場合等）、携帯端末装置が管理情報を取得することはできないという問題点がある。
【００１１】
本発明の目的は、上述した課題を解決する携帯端末装置、携帯端末装置設定方法およびプログラムを提供することである。
【課題を解決するための手段】
【００１２】
本発明の携帯端末装置は、
情報を記憶する記憶装置と接続された携帯端末装置であって、
前記記憶装置と通信するためのインタフェース機能を持つ通信部と、
当該携帯端末装置を利用する利用者を認証する利用者管理部と、
前記利用者管理部が認証に成功した場合、前記通信部を介して前記記憶装置から該利用者のプロファイルを取得し、該取得したプロファイルに基づいて当該携帯端末装置を動作させるプロファイル制御部とを有し、
前記利用者管理部は、前記利用者のうち前記プロファイルを編集する権利を持つ特権利用者の認証に成功した場合、前記取得したプロファイルを編集可能にする。
【００１３】
また、本発明の携帯端末装置設定方法は、
情報を記憶する記憶装置と接続された携帯端末装置の動作を設定する携帯端末装置設定方法であって、
当該携帯端末装置を利用する利用者を認証する処理と、
前記利用者の認証に成功した場合、前記記憶装置から該利用者のプロファイルを取得する処理と、
前記取得したプロファイルに基づいて、当該携帯端末装置を動作させる処理と、
前記利用者のうち前記プロファイルを編集する権利を持つ特権利用者の認証に成功した場合、前記取得したプロファイルを編集可能にする処理とを有する。
【００１４】
また、本発明のプログラムは、
情報を記憶する記憶装置と接続された携帯端末装置に実行させるためのプログラムであって、
当該携帯端末装置を利用する利用者を認証する手順と、
前記利用者の認証に成功した場合、前記記憶装置から該利用者のプロファイルを取得する手順と、
前記取得したプロファイルに基づいて、当該携帯端末装置を動作させる手順と、
前記利用者のうち前記プロファイルを編集する権利を持つ特権利用者の認証に成功した場合、前記取得したプロファイルを編集可能にする手順とを実行させる。
【発明の効果】
【００１５】
以上説明したように本発明においては、複数の利用者によって利用される携帯端末装置を各利用者に適した設定で容易に動作させることができる。
【図面の簡単な説明】
【００１６】
【図１】本発明の携帯端末装置の実施の一形態を示す図である。
【図２】図１に示したメモリの内部構造の一例を示す図である。
【図３】図２に示した利用者管理テーブルの構造の一例を示す図である。
【図４】図２に示したプロファイルのデータ構造の一例を示す図である。
【図５】一般的な携帯端末装置の内部構成の一例を示す図である。
【図６】図１に示した記憶装置の内部構成の一例を示す図である。
【図７】図１に示した携帯端末装置における携帯端末装置設定方法のうち、起動処理を説明するためのフローチャートである。
【図８】図１に示した携帯端末装置における携帯端末装置設定方法のうち、特権利用者処理を説明するためのフローチャートである。
【図９】図１に示した携帯端末装置における携帯端末装置設定方法のうち、利用者管理処理を説明するためのフローチャートである。
【発明を実施するための形態】
【００１７】
以下に、本発明の実施の形態について図面を参照して説明する。
【００１８】
図１は、本発明の携帯端末装置の実施の一形態を示す図である。
【００１９】
本形態における携帯端末装置１００には図１に示すように、通信部１１０と、利用者管理部１２０と、プロファイル制御部１３０と、メモリ１４０と、入力部１５０と、表示部１６０とが設けられている。
【００２０】
通信部１１０は、情報を記憶している記憶装置２００との間で通信可能なインタフェース機能を持つ。ここで、携帯端末装置１００と記憶装置２００とが通信ネットワーク（有線ネットワークや無線ネットワーク）を介して接続されている場合、通信部１１０は、当該通信ネットワークと接続可能なインタフェース機能を持つ。また、記憶装置２００が、ＵＳＢ（Ｕｎｉｖｅｒｓａｌ  Ｓｅｒｉａｌ  Ｂｕｓ）メモリやＳＤカード等の外付けの記憶デバイスである場合、当該記憶デバイスと通信（アクセス）可能なインタフェース機能を持つ。
【００２１】
利用者管理部１２０は、携帯端末装置１００を利用する利用者の認証を行う。具体的には、外部から入力部１５０に入力された利用者を識別するための利用者識別情報である利用者ＩＤ（Ｉｄｅｎｔｉｆｉｃａｔｉｏｎ）と、当該利用者を認証するためのパスワードである認証情報とに基づいて、利用者の認証を行う。このとき、利用者管理部１２０は、入力部１５０に入力された利用者ＩＤと認証情報とのそれぞれが、メモリ１４０にあらかじめ記憶されている利用者ＩＤと認証情報とのそれぞれと一致した場合、認証に成功したと判断する。
【００２２】
また、利用者管理部１２０は、利用者の認証処理において、入力部１５０に入力された利用者ＩＤと認証情報とに基づいて、当該利用者がプロファイルを編集する権利を持つ特権利用者であるかどうかを判別する。特権利用者である場合、特権利用者専用の機能が実行できる特権利用者モードへ処理を移行する。特権利用者モードでは他の利用者のプロファイルを編集したり、他の利用者ＩＤ及びプロファイルを追加及び削除、あるいはコピーしたりすることが可能となる。
【００２３】
プロファイル制御部１３０は、利用者管理部１２０が利用者の認証に成功した場合、通信部１１０を介して記憶装置２００から当該利用者のプロファイルを取得する。このとき、プロファイル制御部１３０は、認証に成功した利用者の利用者ＩＤを用いて（検索キーとして）、通信部１１０を介して記憶装置２００からプロファイルを取得する。また、プロファイル制御部１３０は、通信部１１０を介して記憶装置２００から取得したプロファイルをメモリ１４０に書き込む（展開する）。また、プロファイル制御部１３０は、特権利用者によって編集されたプロファイルを記憶装置２００へ送信する。
【００２４】
また、プロファイル制御部１３０は、メモリ１４０に書き込んだプロファイルを、起動するアプリケーションが読み込むことにより、当該プロファイルに応じた設定状態で携帯端末装置１００を動作させる。
【００２５】
メモリ１４０は、利用者ＩＤと認証情報とをあらかじめ対応付けて記憶する。また、プロファイル制御部１３０が取得したプロファイルを記憶する。
【００２６】
図２は、図１に示したメモリ１４０の内部構造の一例を示す図である。
【００２７】
図１に示したメモリ１４０には図２に示すように、利用者管理テーブル１４１と、プロファイル１４２とが記憶されている。
【００２８】
利用者管理テーブル１４１には、利用者ＩＤと認証情報と利用者の種別を示す利用者種別とがあらかじめ対応付けられて記憶されている。
【００２９】
図３は、図２に示した利用者管理テーブル１４１の構造の一例を示す図である。
【００３０】
図２に示した利用者管理テーブル１４１は図３に示すように、利用者ＩＤと、認証情報と、利用者種別とが対応付けられて記憶されている。
【００３１】
例えば、利用者ＩＤ「ａｄｍｉｎ」と、認証情報「９９９９」と、利用者種別「特権利用者」とが対応付けられて記憶されている。これは、入力部１５０に入力された利用者ＩＤが「ａｄｍｉｎ」であり、かつ認証情報が「９９９９」である場合、その利用者は特権利用者であり、認証が成功したと利用者管理部１２０にて判断されるものである。また、利用者ＩＤ「ｕｓｅｒ１」と、認証情報「１２３４」と、利用者種別「一般利用者」とが対応付けられて記憶されている。これは、入力部１５０に入力された利用者ＩＤが「ｕｓｅｒ１」であり、かつ認証情報が「１２３４」である場合、その利用者は一般利用者であり、認証が成功したと利用者管理部１２０にて判断されるものである。また、利用者ＩＤ「ｕｓｅｒ２」と、認証情報「５６７８」と、利用者種別「一般利用者」とが対応付けられて記憶されている。これは、入力部１５０に入力された利用者ＩＤが「ｕｓｅｒ２」であり、かつ認証情報が「５６７８」である場合、その利用者は一般利用者であり、認証が成功したと利用者管理部１２０にて判断されるものである。なお、図３では、利用者ＩＤにアルファベットを使用しているが、数字、記号などで構成されていてもよい。認証情報に４桁の数字を使用しているが、アルファベット、記号で構成されていてもよく、指紋認証、静脈認証などの生体認証情報であってもよい。
【００３２】
プロファイル１４２は、プロファイル制御部１３０によって書き込まれたプロファイルである。
【００３３】
図４は、図２に示したプロファイル１４２のデータ構造の一例を示す図である。
【００３４】
図２に示したプロファイル１４２は図４に示すように、メニュー構成をその階層毎の表示有無と共に保持するメニュー構成要素と、発信可能な電話番号を複数保持する発信可能番号リストと、ブラウザによる接続を不可とするＵＲＬ（Ｕｎｉｆｏｒｍ  Ｒｅｓｏｕｒｃｅ  Ｌｏｃａｔｏｒ）を複数保持する接続制限ＵＲＬリストと、実行を不可とするアプリケーション情報を複数保持する実行制限アプリケーションリストとから構成される。
【００３５】
また、その他にもユーザ毎に異なる情報、例えばアドレス帳や画像、着信音などのマルチメディアファイル、Ｗｅｂブラウザのブックマーク等、ユーザ毎に異なる情報を保持している。
【００３６】
ここで、起動したアプリケーションが図４に示したプロファイルを読み込んで動作した場合、画面のＬＣＤ（Ｌｉｑｕｉｄ  Ｃｒｙｓｔａｌ  Ｄｉｓｐｌａｙ）輝度設定など、画面に関する設定が実行できる「各種設定」→「画面」メニューは表示されるのに対し、各種設定情報をリセットできる「各種設定」→「設定リセット」メニューは表示されないことになる。
【００３７】
また、発信可能番号リストに格納されていない番号に対する発信や、接続制限ＵＲＬリストに格納されているＵＲＬを含むＵＲＬに対する接続は不可能となる。例えば、接続が制限されている旨のメッセージが表示部１６０に表示されるとともに、発信および接続動作がキャンセルされる。
【００３８】
さらに、実行制限アプリケーションリストに記載されているアプリケーションは実行不可能となる。例えば、実行が制限されている旨のメッセージが表示部１６０に表示されるとともに、当該アプリケーションの実行動作はキャンセルされる。実行不可能なアプリケーションについては、実行した後に表示部１６０にメッセージが表示される方法でもよく、起動アイコンを非表示にするなどしてアプリケーションの存在自体をユーザに見せない方法で実行を制限してもよい。
【００３９】
このプロファイル１４２は、特権利用者のみが編集可能である。
【００４０】
このように、プロファイル１４２は、メニュー構成とユーザが実行できる機能のリストや発信可能な電話番号のリスト、Ｗｅｂブラウザで接続不可とするＵＲＬを含んでおり、特権利用者がこれらを編集することで他の利用者が行う動作を制限することができる。また、メニュー構成についてはそれを階層構造で保持しており、それぞれの階層について表示させるか否かを選択できるため、必要最低限のメニューのみ表示させることで、誤操作を未然に防ぐことも可能である。
【００４１】
入力部１５０は、利用者の操作により、外部から情報の入力を受け付ける。例えば、入力部１５０は、利用者の操作により、利用者ＩＤと認証情報との入力を受け付ける。
【００４２】
表示部１６０は、情報を表示する。例えば、表示部１６０は、プロファイルを編集するための編集画面を表示する。
【００４３】
図５は、一般的な携帯端末装置の内部構成の一例を示す図である。
【００４４】
図５に示した携帯端末装置３００には、ＣＰＵ３１０と、不揮発性メモリ３２０と、作業用メモリ３３０と、画面表示制御部３４０と、入力制御部３５０と、ＲＯＭ３６０と、無線通信部３７０と、外部メモリ接続制御部３８０とが、バス３９０を介して接続された構成を有する。
【００４５】
ＣＰＵ３１０は、プログラムに従って動作する中央処理装置である。ＣＰＵ３１０は、プログラムに従い、バス３９０を介して接続されている携帯端末装置３００内の各構成要素を制御する。
【００４６】
不揮発性メモリ３２０は、携帯端末装置３００に供給されている電源がＯＦＦとなった後も記憶されている情報を保持する記憶装置である。
【００４７】
作業用メモリ３３０は、ＲＡＭ（ランダム・アクセス・メモリ）によって構成され、ＣＰＵ３１０がプログラムを実行する上で、一時的に必要とされるデータを格納する。
【００４８】
画面表示制御部３４０は、画面の表示を制御する制御回路および白黒あるいはカラーの液晶パネルや有機ＥＬ（電子蛍光）等の表示装置とによって構成される。
【００４９】
入力制御部３５０は、各種のキーからのキー入力等、利用者による操作に応じた入力を受け付ける入力回路である。
【００５０】
ＲＯＭ（リード・オンリ・メモリ）３６０は、ＣＰＵ３１０が実行する各種の制御用プログラムや辞書、内臓コンテンツといった固定的なデータを格納する記憶装置である。
【００５１】
無線通信部３７０は、無線通信によってデータの送受信を行ったり、その無線通信に用いられる周波数帯の電波を測定したりするための無線デバイスによって構成される。ここで、無線通信部３７０は、例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式やＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式等の携帯電話網の無線方式によるデータの送受信を行うための回路群であってもよい。また、例えば、無線ＬＡＮ（Ｌｏｃａｌ  Ａｒｅａ  Ｎｅｔｗｏｒｋ）やＢｌｕｅｔｏｏｔｈ、赤外線通信等の近距離無線通信に使用される無線通信方式によるデータの送受信を行うための回路群であってもよい。このように、携帯端末装置３００では、複数の無線通信システムを搭載していてもよい。
【００５２】
外部メモリ接続制御部３８０は、例えばＳＤカード等、携帯端末装置３００に搭載することができる外付けの記憶デバイスとの接続及びデータ送受信を行うための接続回路である。
【００５３】
ここで、図１に示した携帯端末装置１００の構成と図５に示した携帯端末装置３００の構成とを比較する。
【００５４】
図１に示した通信部１１０は、図５に示した無線通信部３７０または外部メモリ接続制御部３８０によって実現される。また、図１に示した利用者管理部１２０およびプロファイル制御部１３０は、図５に示したＣＰＵ３１０によって実現される。また、図２に示した利用者管理テーブル１４１およびプロファイル１４２は、図５に示した不揮発性メモリ３２０または作業用メモリ３３０に格納される。
【００５５】
図６は、図１に示した記憶装置２００の内部構成の一例を示す図である。
【００５６】
図１に示した記憶装置２００には図６に示すように、利用者ＩＤ２１０と、プロファイル２２０とが対応付けられて記憶されている。
【００５７】
この利用者ＩＤ２１０は、図３に示した利用者ＩＤを含むものである。また、図１に示したプロファイル制御部１３０によって取得されるプロファイルは、図６に示したプロファイル２２０である。プロファイル制御部１３０は、利用者ＩＤに基づいて、当該利用者ＩＤと対応付けられたプロファイルを取得する。
【００５８】
なお、図３に示した利用者種別も対応付けられて記憶されていてもよい。
【００５９】
以下に、本形態における携帯端末装置設定方法について説明する。
【００６０】
図７は、図１に示した携帯端末装置１００における携帯端末装置設定方法のうち、起動処理を説明するためのフローチャートである。
【００６１】
携帯端末装置１００が起動すると、利用者管理部１２０によって利用者認証画面が表示部１６０に表示される（ステップＳ１）。
【００６２】
その後、利用者によって利用者画面にしたがって入力された利用者ＩＤと認証情報とが入力部１５０にて受け付けられると（ステップＳ２のＹｅｓ）、利用者管理部１２０によって、入力を受け付けた利用者ＩＤと認証情報とのそれぞれと、メモリ１４０の利用者管理テーブル１４１に記憶されている利用者ＩＤと認証情報とのそれぞれとが照合されることで利用者の認証処理が行われる（ステップＳ３）。
【００６３】
入力を受け付けた利用者ＩＤと認証情報とのぞれぞれと一致する利用者ＩＤと認証情報とが、メモリ１４０の利用者管理テーブル１４１に記憶されている場合、利用者管理部１２０によって当該利用者の認証が成功したと判断される。
【００６４】
一方、入力を受け付けた利用者ＩＤと認証情報とのそれぞれと一致する利用者ＩＤと認証情報とが、メモリ１４０の利用者管理テーブル１４１に記憶されていない場合は、利用者管理部１２０によって当該利用者の認証が失敗したと判断される。
【００６５】
利用者の認証が失敗したと判断された場合（ステップＳ３のＮｏ）、ステップＳ１の処理が再度行われる。
【００６６】
一方、利用者の認証が成功したと判断された場合は（ステップＳ３のＹｅｓ）、利用者管理部１２０によって利用者管理テーブル１４１から該当利用者ＩＤ及び認証情報と対応付けられた利用者種別が取得され、当該利用者が一般利用者であるか、特権利用者であるかが判断される（ステップＳ４）。
【００６７】
利用者が特権利用者であると判断された場合、利用者管理部１２０によって特権利用者機能が呼び出され、特権利用者処理が行われる。
【００６８】
一方、利用者が一般利用者であると判断された場合は、プロファイル制御部１３０によって、通信部１１０を介して記憶装置２００から当該利用者のプロファイルが取得される（ステップＳ５）。このとき、上述したように、当該利用者ＩＤを用いてプロファイルが取得される。
【００６９】
プロファイル制御部１３０によって取得されたプロファイルは、プロファイル制御部１３０によってメモリ１４０に展開される（記憶される）。すると、各種アプリケーションが起動し（ステップＳ６）、メモリ１４０に展開されたプロファイルが、起動したアプリケーションによって読み込まれて、当該プロファイルに応じた設定状態で携帯端末装置１００が動作する。
【００７０】
図８は、図１に示した携帯端末装置１００における携帯端末装置設定方法のうち、特権利用者処理を説明するためのフローチャートである。
【００７１】
図７を用いて説明したステップＳ４の処理にて、利用者が特権利用者であると判断され、利用者管理部１２０によって特権利用者機能が呼び出されると、利用者管理部１２０によって特権利用者機能のメニュー画面が表示部１６０に表示される（ステップＳ１１）。
【００７２】
ここで、特権利用者機能は、利用者の新規登録および削除、利用者ＩＤや認証情報つまり利用者情報の更新が可能な利用者管理機能と、利用者毎のプロファイルを編集することができるプロファイル編集機能と、特権利用者自体への利用者切替えが可能な通常起動機能とによって構成される。また、表示部１６０に表示されるメニュー画面は、利用者が入力部１５０および表示部１６０を用いて上述した３つの機能（利用者管理機能、プロファイル編集機能、通常起動機能）の中から１つの機能を選択できるものであればよく、表示フォーマット等は特に規定しない。
【００７３】
特権利用者が選択した機能が利用者管理機能である場合（ステップＳ１２の利用者管理）、利用者管理部１２０によって利用者管理機能が呼び出され、利用者管理処理が行われる。
【００７４】
また、特権利用者が選択した機能がプロファイル編集機能である場合（ステップＳ１２のプロファイル編集）、編集する対象プロファイルの利用者を選択するための選択画面が表示部１６０に表示される。この選択画面は、利用者が入力部１５０および表示部１６０を用いて編集する対象プロファイルの利用者を選択できるものであればよく、表示フォーマット等は特に規定しない。
【００７５】
表示部１６０に表示された選択画面から特権利用者によって編集する対象プロファイルの利用者が選択されると（ステップＳ１３）、プロファイル制御部１３０によって当該利用者のプロファイルが通信部１１０を介して記憶装置２００から取得される（ステップＳ１４）。
【００７６】
取得されたプロファイルは、プロファイル制御部１３０によってメモリ１４０に展開される（記憶される）。
【００７７】
すると、表示部１６０にプロファイルを編集するための編集画面が表示される。そして、特権利用者が表示部１６０に表示された編集画面にしたがって当該プロファイルを編集し（ステップＳ１５）、編集が完了すると、編集されたプロファイルが、プロファイル制御部１３０によって通信部１１０を介して記憶装置２００へ送信される（ステップＳ１６）。
【００７８】
また、特権利用者が選択した機能が通常起動機能である場合（ステップＳ１２の通常起動）、プロファイル制御部１３０によって、通信部１１０を介して記憶装置２００から当該特権利用者のプロファイルが取得される（ステップＳ１７）。このとき、上述したように、当該特権利用者ＩＤを用いてプロファイルが取得される。
【００７９】
プロファイル制御部１３０によって取得されたプロファイルは、プロファイル制御部１３０によってメモリ１４０に展開される（記憶される）。すると、各種アプリケーションが起動し（ステップＳ１８）、メモリ１４０に展開されたプロファイルが、起動したアプリケーションによって読み込まれて、当該プロファイルに応じた設定状態で携帯端末装置１００が動作する。
【００８０】
図９は、図１に示した携帯端末装置１００における携帯端末装置設定方法のうち、利用者管理処理を説明するためのフローチャートである。
【００８１】
図８を用いて説明したステップＳ１２の処理にて、特権利用者が選択した機能が利用者管理機能である場合、利用者管理部１２０によって利用者管理機能が呼び出され、利用者管理部１２０によって利用者管理機能のメニュー画面が表示部１６０に表示される（ステップＳ２１）。
【００８２】
ここで、利用者管理機能は、利用者情報および該当するプロファイルを削除する利用者削除機能と、利用者情報及び該当するプロファイルを追加する利用者追加機能と、利用者ＩＤや認証情報などの利用者情報を更新する利用者情報更新機能とによって構成される。また、表示部１６０に表示されるメニュー画面は、特権利用者が入力部１５０および表示部１６０を用いて上述した３つの機能（利用者削除機能、利用者追加機能、利用者情報更新機能）の中から１つの機能を選択できるものであればよく、表示フォーマット等は特に規定しない。
【００８３】
特権利用者が選択した機能が利用者削除機能である場合（ステップＳ２２の利用者削除）、削除する対象プロファイルの利用者を選択するための選択画面が表示部１６０に表示される。この選択画面は、特権利用者が入力部１５０および表示部１６０を用いて削除する対象プロファイルの利用者を選択できるものであればよく、表示フォーマット等は特に規定しない。
【００８４】
表示部１６０に表示された選択画面から特権利用者によって削除する対象プロファイルの利用者が選択されると（ステップＳ２３）、メモリ１４０内の利用者管理テーブル１４１に記憶されている当該利用者の利用者情報（利用者ＩＤ、認証情報および利用者種別）が利用者管理部１２０によって削除される。これによって、利用者管理テーブル１４１が更新される（ステップＳ２４）。
【００８５】
すると、プロファイル制御部１３０によって通信部１１０を介して記憶装置２００に記憶されている当該利用者の利用者ＩＤとプロファイルとが削除される（ステップＳ２５）。この削除方法は、プロファイル制御部１３０から記憶装置２００へ削除要求がされるものであってもよいし、プロファイル制御部１３０によって記憶装置２００に記憶されている利用者ＩＤとプロファイルとが直接削除されるものであってもよい。
【００８６】
また、特権利用者が選択した機能が利用者追加機能である場合（ステップＳ２２の利用者追加）、追加する利用者の利用者情報である利用者ＩＤと認証情報とを入力するための入力画面が表示部１６０に表示される（ステップＳ２６）。この入力画面は、特権利用者が追加する利用者の利用者ＩＤと認証情報とを入力できるものであればよく、表示フォーマット等は特に規定しない。また、利用者種別を含むものであってもよい。
【００８７】
特権利用者によって、追加する利用者の利用者情報が入力部１５０に入力されると、入力された利用者情報が利用者管理部１２０によってメモリ１４０の利用者管理テーブル１４１に追加されることで、利用者管理テーブル１４１が更新される（ステップＳ２７）。
【００８８】
また、追加する利用者のプロファイルが利用者管理部１２０によってメモリ１４０上に一時的に作成される。作成されたプロファイルは、表示部１６０に表示され、特権利用者によって入力部１５０を用いて利用者に適したプロファイルに編集されると（ステップＳ２８）、編集されたプロファイルと利用者ＩＤとがプロファイル制御部１３０によって通信部１１０を介して記憶装置２００へ送信される（ステップＳ２９）。このとき、利用者情報のうちの利用者ＩＤ以外の情報も送信されるものであってもよい。
【００８９】
また、特権利用者が選択した機能が利用者情報更新機能である場合（ステップＳ２２の利用者情報更新）、更新する対象の利用者を選択するための選択画面が表示部１６０に表示される（ステップＳ３０）。この選択画面は、特権利用者が更新する利用者を選択できるものであればよく、表示フォーマット等は特に規定しない。
【００９０】
特権利用者によって、更新する利用者が選択されると、更新する利用者の利用者ＩＤや認証情報等の利用者情報の入力をするための入力画面が表示部１６０に表示される（ステップＳ３１）。
【００９１】
特権利用者によって、利用者情報が入力部１５０に入力されると、メモリ１４０の利用者管理テーブル１４１に記憶された利用者情報が、入力された利用者情報に書き換えられて更新される（ステップＳ３２）。
【００９２】
また、入力された利用者情報がプロファイル制御部１３０から通信部１１０を介して記憶装置２００へ送信される（ステップＳ３３）。
【００９３】
また、本発明の他の実施の形態として、その基本的構成は上述した通りであるが、各利用者の利用者情報及びプロファイルを格納する記憶装置２００はインタネットに接続された状態でも、接続されていないいわゆるスタンドアロン状態であってもよい。前者の場合、通信手段は携帯電話無線ネットワークまたは無線ＬＡＮ等のインタネットにアクセス可能な通信回線であり、後者の場合は、ＵＳＢケーブル、赤外線通信、Ｂｌｕｅｔｏｏｔｈ等の優先または近距離無線通信が想定される。
【００９４】
また、上述したように、各利用者の利用者情報及びプロファイルの格納場所である記憶装置２００は、外付けの記憶デバイス、つまり、ＳＤカード等の外部メモリであってもよい。この場合、図５における外部メモリ接続制御部３８０を介して外部メモリと利用者情報やプロファイルの送受信を実施するが、プロファイルが格納される外部メモリは携帯端末装置１００と１対１の接続しかできない。そのため、複数の携帯端末装置で１つの外部メモリを使いまわし、プロファイルの読み込み及び書き込みの際に更新対象の携帯端末装置にその都度挿入するといった使用方法が想定される。
【００９５】
また、本実施の形態では携帯端末装置１００の起動処理について説明しているが、特権利用者が使用する特権利用者機能や、一般利用者が使用中に利用者を切り替えることができる機能について、利用者メニューにその機能を呼び出すことができるメニューをあらかじめ備えていてもよい。
【００９６】
また、以上の説明では、特権利用者が使用できる機能例を説明したが、一般利用者についても自分自身の利用者ＩＤや認証情報の変更を可能としてもよい。また、この他にも特権利用者によるプロファイルのコピーを行う機能や、よく使うプロファイル設定を登録、読み込みができるテンプレート機能など、一般利用者プロファイルの編集以外の機能を具備させてもよい。
【００９７】
また、以上の説明では、携帯電話機におけるユーザ切り替え機能について説明したが、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の他の携帯端末装置でも同様の方法で利用者切り替えを実施することができる。
【００９８】
以上説明したように本発明によれば、複数台の携帯端末装置に対して１つの利用者プロファイルを共有・適用できる。そのため、複数の携帯端末装置を複数の利用者が共有する場合に煩わしい登録処理を省くことができ、別々の携帯端末装置を使用する場合も常に同じ利用者プロファイルが適用されるため、利便性に優れる。
【００９９】
また、プロファイルごとにメニュー構成を変更できるため、携帯端末装置を使い慣れない子供等の利用者のメニュー構成をシンプルなメニュー構成にすることが可能となり、誤操作を軽減することができるという効果がある。
【０１００】
さらに、特権利用者として本携帯端末装置を使用することで、特定の利用者に使用させたくない機能を制限したり、発信可能な相手先の電話番号あるいはＷｅｂブラウザの接続先アドレスを制限したりすることが可能である。
【０１０１】
なお、上述した携帯端末装置１００に設けられた各構成要素が行う処理は、目的に応じて作製された論理回路で行うようにしても良い。また、処理内容を記述したプログラムを携帯端末装置１００にて読取可能な記録媒体に記録し、この記録媒体に記録されたプログラムを携帯端末装置１００に読み込ませ、実行するものであっても良い。携帯端末装置１００にて読取可能な記録媒体とは、フロッピー（登録商標）ディスク、光磁気ディスク、ＤＶＤ、ＣＤなどの移設可能な記録媒体の他、携帯端末装置１００内に内蔵されたＲＯＭ、ＲＡＭ等のメモリやＨＤＤ等を指す。この記録媒体に記録されたプログラムは、携帯端末装置１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【０１０２】
１００，３００    携帯端末装置
１１０    通信部
１２０    利用者管理部
１３０    プロファイル制御部
１４０    メモリ
１４１    利用者管理テーブル
１４２，２２０    プロファイル
１５０    入力部
１６０    表示部
２００    記憶装置
２１０    利用者ＩＤ
３１０    ＣＰＵ
３２０    不揮発性メモリ
３３０    作業用メモリ
３４０    画面表示制御部
３５０    入力制御部
３６０    ＲＯＭ
３７０    無線通信部
３８０    外部メモリ接続制御部
３９０    バス
【図１】
2011055082.tif 000003
【図２】
2011055082.tif 000004
【図３】
2011055082.tif 000005
【図４】
2011055082.tif 000006
【図５】
2011055082.tif 000007
【図６】
2011055082.tif 000008
【図７】
2011055082.tif 000009
【図８】
2011055082.tif 000010
【図９】
2011055082.tif 000011